(57)【特許請求の範囲】
【請求項１】
連結すべき型枠の桟木同士を突き合わせてその両側から挟持する一対の挟持片部と、その一対の挟持片部それぞれの基端部に連続するベース部とを有し、ベース部の後側面側にハンマー等で叩かれる打撃面部を設けると共に、ベース部にバール等の先端部を差込んで取外すための第１開口部を設けた型枠連結金物において、
打撃面部の長手方向の長さを一対の挟持片部の内側面間の最小間隔以下にすると共に、一対の挟持片部の間の挟持空間と第１開口部との間のベース部に、その一対の挟持片部それぞれの基端部側から当該一対の挟持片部間の中心に向かって延び、先端部間が離れた一対の当接片部を設けると共に、その一対の当接片部と第１開口部との間に、その一対の当接片部の先端部間の隙間を介して該挟持空間に連通する第２開口部を設けたことを特徴とする型枠連結金物。
【請求項２】
請求項１記載の型枠連結金物において、
一対の当接片部は、その先端部間の中心が一対の挟持片部の内側面間の中心線上にほぼ位置するように設けることを特徴とする型枠連結金物。
【発明の詳細な説明】
【技術分野】
【０００１】
本発明は、型枠工事において使用するコンクリートパネルと桟木を組み合わせた型枠同士を連結する型枠連結金物に関する。
【背景技術】
【０００２】
釘やボルト等を使用せずに、ハンマー等の打撃により型枠同士を連結する従来の型枠連結金物として、例えば、図７に示すように、突き合わせた２つの型枠の桟木をその両側から挟持する一対の挟持片部４１，４１と、その一対の挟持片部４１，４１それぞれの基端部に連続するベース部４２とからなり、ベース部４２に、ハンマー等でその後方から叩かれる打撃面部４２ａと、その金物４を取外すためバール等の先端が差込まれる開口部４２ｂとを設けたものが提案されている（例えば、特許文献１参照）。この型枠連結金物４によれば、釘やボルト等を使用せずに、ハンマー等の打撃によって桟木に嵌めて一対の挟持片部４１，４１の挟持力によって型枠同士を連結できるため、型枠同士の連結が容易である一方、開口部４２ｂにバール等の先端部を差込んでこの型枠連結金物４を取外して再利用できるという利点がある。
【先行技術文献】
【特許文献】
【０００３】
【特許文献１】実用新案登録第３１６０２０２号公報
【発明の概要】
【発明が解決しようとする課題】
【０００４】
ところで、型枠同士を型枠連結金物によって連結した後、型枠間にコンクリートを打設するが、打設したコンクリートの圧力は相当な大きさになるため、型枠連結金物によって型枠同士が正しく連結されていない場合には、コンクリートの圧力に屈して連結した型枠が外れる恐れがある。
【０００５】
しかし、前述の特許文献１に記載された従来の型枠連結金物４では、ハンマー等により打撃面部４２ａを叩いて型枠連結金物４を桟木の両側に嵌め込むため、打撃面部４２ａの長手方向の長さが長いと、作業者の熟練度によっては、図８に示すように、突き合わせた桟木２１，２１に対し型枠連結金物４を平面視で斜めに装着する場合があった。このように装着した場合、一対の挟持片部４１，４１は、設計通りの挟持力を発揮できないため、打設したコンクリートの圧力に屈して連結した型枠２，２が外れる恐れがあった。
【０００６】
また、従来の型枠連結金物４は、一対の挟持片部４１，４１が桟木同士をその両側から挟持して連結するため、一定の挟持力を確保するため、通常は、一対の挟持片部４１，４１の内側面が桟木にめり込んでいる。そのため、コンクリートが硬化して型枠を取外す際、バール等を使用して型枠連結金物４を取外すにしても、大きな力が必要であるという問題があった。
【０００７】
また、型枠連結金物４が型枠の桟木に対し水平視直角に装着されていれば、その開口部４２ｂにバール等の先端部を差込むことに関し問題はないが、水平視で斜めに装着されていた場合には、開口部４２ｂが桟木の表面に近付くため、その開口部４２ｂにバール等の先端部を差込み難いという問題があった。特に、作業者はバール等の先端部を真下や真上から挿入するよりも、斜めの方向から挿入する場合が多いため、開口部４２ｂが桟木の表面に近付くと、差込み難くなった。
【０００８】
さらに、前述の型枠連結金物４では、一対の挟持片部４１，４１によって型枠の桟木同士をその両側から挟持しているだけで、ボルト等のように締め付け量や締め付け力を調節できないため、桟木における被挟持部分が大きく凹んでいたり、欠損している等の不良があった場合には、型枠連結金物４を真直ぐ奥まで正しく装着できた場合でも、一対の挟持片部４１，４１による設計通りの所定の挟持力が得られず、桟木の両側を確実に挟持できない恐れがあった。
【０００９】
そこで、本発明は、このような問題点に着目してなされたもので、第１には、熟練した作業者でなくても、型枠の桟木に対し平面視で真直ぐに打ち込むことができると共に、型枠の取外し時には容易に取外すことができ、第２には、さらには、この型枠連結金物が桟木に正しく装着されているか否かや、桟木における被挟持部分の不良を容易に確認できる型枠連結金物を提供することを目的とする。
【課題を解決するための手段】
【００１０】
上記目的を達成するため、本発明に係る型枠連結金物は、連結すべき型枠の桟木同士を突き合わせてその両側から挟持する一対の挟持片部と、その一対の挟持片部それぞれの基端部に連続するベース部とを有し、ベース部の後側面側にハンマー等で叩かれる打撃面部を設けると共に、ベース部にバール等の先端部を差込んで取外すための第１開口部を設けた型枠連結金物において、打撃面部の長手方向の長さを一対の挟持片部の内側面間の最小間隔以下にすると共に、一対の挟持片部の間の挟持空間と第１開口部との間のベース部に、その一対の挟持片部それぞれの基端部側から当該一対の挟持片部間の中心に向かって延び、先端部間が離れた一対の当接片部を設けると共に、その一対の当接片部と第１開口部との間に、その一対の当接片部の先端部間の隙間を介して該挟持空間に連通する第２開口部を設けたことを特徴とする。
ここで、一対の当接片部は、その先端部間の中心が一対の挟持片部の内側面間の中心線上にほぼ位置するように設けると良い。
【発明の効果】
【００１１】
本発明に係る型枠連結金物によれば、打撃面部の長手方向の長さを一対の挟持片部の内側面間の最小間隔以下にしたため、熟練した作業者でなくても、型枠の桟木に対し平面視で真直ぐに打ち込むことができる。また、一対の挟持片部の間の挟持空間と第１開口部との間のベース部に、その一対の挟持片部それぞれの基端部側から当該一対の挟持片部間の中心に向かって延びる一対の当接片部を設けたため、この型枠連結金物を桟木に装着した場合、桟木の前側面に一対の当接片部それぞれが片持ち梁状態で当接して反発力を受けるので、この型枠連結金物を取外す際、その反発力が加算されて容易に取外すことができる。さらに、第１開口部はベース部の後端側に設けられるため、バール等の先端部が差込み易くなり、この型枠連結金物を容易に取外すことができる。
また、一対の当接片部をその先端部間の中心が一対の挟持片部の内側面間の中心線上にほぼ位置するように設けた場合には、仮に、この型枠連結金物が桟木に対し斜めに装着された場合や、一方の桟木が欠損している等の不良があった場合、突き合わせた桟木同士の内側面の境界線が一対の当接片部の先端部間の中心に位置しないため、この型枠連結金物が桟木に正しく装着されているか否かや、桟木における被挟持部分の不良を容易に確認できる。
【図面の簡単な説明】
【００１２】
【図１】本発明に係る型枠連結金物の使用状態を示す斜視図である。
【図２】この型枠連結金物の斜視図である。
【図３】この型枠連結金物の平面図である。
【図４】この型枠連結金物をハンマー等により叩いて型枠の桟木に装着した状態を示す図である。
【図５】この型枠連結金物を斜めに装着した状態を示す図である。
【図６】桟木に不良があった場合の型枠連結金物の装着状態を示す図である。
【図７】従来の型枠連結金物を示す斜視図である。
【図８】従来の型枠連結金物が斜めに装着した状態を示す図である。
【発明を実施するための形態】
【００１３】
次に、本発明に係る型枠連結金物の実施形態について図面を参照して説明する。
【００１４】
この型枠連結金物１は、図１に示すように、連結すべき型枠２，２の桟木２１，２１同士を突き合わせ、桟木２１，２１の長手方向に複数（図１では、説明の便宜上２つとするが、３以上でも勿論良い。）装着されてそれらの両側から挟持するもので、図２および図３に示すように、一対の挟持片部１１,１１と、一対の挟持片部１１,１１それぞれの基端部に連続するベース部１２とを有する。なお、図上、２２は、木製のコンクリートパネルである。
【００１５】
一対の挟持片部１１,１１は、例えば、図３に示すように、それぞれの内側面１１ａ，１１ａが先端部から基端部に向かうに従って基端部寄りの中間部で凸となるように湾曲した形状で形成されている。そのため、一対の挟持片部１１,１１の内側面１１ａ，１１ａ間の間隔は、先端部が最大で、基端部に向かう程狭くなり、基端部寄りの中間部で最小になって、その中間部から基端部に向かう程広くなるように形成されており、突き合わせた桟木２１，２１に装着し易く、かつ、中間部がその桟木２１，２１にめり込んで所定の挟持力で挟持して、簡単には外れないようにしている。なお、一対の挟持片部１１,１１それぞれの基端部の内側面側とベース部１２との連続部分には、この型枠連結金物１を装着する際に挟持片部１１,１１がベース部１２に対し外側に広がり易くすること等を目的として、凹み部１２ｅ，１２ｅが設けられている。
【００１６】
ベース部１２は、図２および図３に示すように、その後方側からハンマー３（図４参照。）等で叩くための平面状の打撃面部１２ａを有している。ここで、図３に示すように、打撃面部１２ａの長手方向の長さＬ１を、一対の挟持片部１１,１１の内側面１１ａ，１１ａ間の最小間隔Ｌ２よりも短くしている。このため、図４に示すように、この型枠連結金物１を桟木２１，２１の両側に装着する際に、作業者が打撃面部１２ａの中央付近を叩かずに、中央付近から左右にずれた両側付近を叩いたとしても、その方向は、一対の挟持片部１１,１１の内側面１１ａ，１１ａ間、すなわち突き合わせた桟木２１，２１の方向を向くことになる。なお、前述の特許文献１の型枠連結金物４では、図８に示すように、打撃面部４２ａの長手方向の長さを、一対の挟持片部４１,４１の内側面間の最小間隔よりも大きい。その結果、この型枠連結金物１によれば、前述の特許文献１の型枠連結金物４の場合よりも、コンクリートパネル２２の桟木２１，２１に対し平面視で垂直方向に挿入して装着することが可能になり、図４に示すように型枠連結金物１を型枠２，２の桟木２１，２１に対し真直ぐに正しく装着できる。
【００１７】
また、ベース部１２には、その中間より打撃面部１２ａ側にバール等の先端部を差込んで取外すための第１開口部１２ｂを設けると共に、その第１開口部１２ｂよりも挟持片部１１,１１側に第２開口部１２ｃを設けている。そのため、金物１自体の重量を増大させずに、ベース部１２全体を大きくすることが可能となり、作業者がベース部１２を掴んだり、桟木２１，２１に仮装着し易くなり、作業性が向上する。なお、第１開口部１２ｂと同様に、第２開口部１２ｃも、バール等の先端部が差し込まれて、取り外しに利用しても良い。
【００１８】
さらに、第１開口部１２ｂは、前述の特許文献１の型枠連結金物４の開口部４２ｂよりも、桟木２１，２１それぞれの前側面２１ｂ，２１ｂから離れるため、この型枠連結金物１が桟木２１，２１に対し水平視斜めに装着されていたとしても、バール等の先端部を差込み易く、この点でも作業性が向上する。特に、作業者が第１開口部１２ｂにバール等の先端部を挿入する場合、その先端部を真下や真上から挿入するよりも、斜めの方向から挿入する場合が多いため、第１開口部１２ｂが桟木２１，２１の前側面２１ｂ，２１ｂより遠く離れている程、バール等の先端部を第１開口部１２ｂに差込み易くなる。
【００１９】
また、ベース部１２には、一対の挟持片部１１,１１の間の挟持空間１３と第２開口部１２ｃとの間に、一対の挟持片部１１,１１それぞれの基端部側から当該一対の挟持片部１１,１１間の中心に向かって延び、桟木２１，２１の前側面２１ｂ，２１ｂに当接する一対の当接片部１２ｄ，１２ｄを設け、その一対の当接片部１２ｄ，１２ｄの先端部間の隙間を介して第２開口部１２ｃと挟持空間１３とが連通するように構成している。そのため、この型枠連結金物１を図４に示すようにハンマー３等によって叩いて桟木２１，２１に正しく装着できた場合、一対の当接片部１２ｄ，１２ｄは、片持ち梁状態で桟木２１，２１の前側面２１ｂ，２１ｂに弾接して、桟木２１，２１から離れる方向に反発力を受けることになる。その結果、この型枠連結金物１を型枠２から取外す際には、その反発力が加算され、その分少ない力でこの型枠連結金物１を取外すことが可能となり、作業性が向上する。
【００２０】
また、前述したように作業者は型枠連結金物１を取外す際、バール等の先端部を真下や真上から挿入する場合よりも、斜めの方向から挿入する場合が多いが、この型枠連結金物１では、図４等に示すように、第１開口部１２ｂの中間部における挿脱方向の開口幅を両端部における同方向の開口幅より広く確保しているため、バール等の先端部を第１開口部１２ｂに差込み易くなり、この点でも作業性が向上する。ただし、本発明では、第１開口部１２ｂの開口幅を中間部ほど広く確保することは、任意である。
【００２１】
さらに、この型枠連結金物１では、一対の当接片部１２ｄ，１２ｄは、その先端部間の中心が一対の挟持片部１１,１１の内側面１１ａ，１１ａ間の中心線上にほぼ位置するように設けているため、仮に図５に示すように、この型枠連結金物１が桟木２１，２１に対し斜めに装着された場合には、桟木２１，２１の内側面２１ｃ，２１ｃの境界線が、一対の当接片部１２ｄ，１２ｄの先端部間の中心に位置しない。このような場合、一対の挟持片部１１,１１が設計通りの所定の挟持力で桟木２１，２１の両側を挟持していない恐れがあるが、作業者は一対の当接片部１２ｄ，１２ｄの先端部間の中心と、桟木２１，２１の内側面２１ｃ，２１ｃの境界線との比較により、この型枠連結金物１が桟木２１，２１に対し真直ぐに装着されているか否かを一目瞭然に確認できる。
【００２２】
また、仮に、型枠連結金物１が桟木２１，２１に対し真直ぐに正しく装着された場合でも、例えば、図６に示すように一方（図上、左側）の桟木２１が欠損している等の不良がある場合には、突き合わせた桟木２１，２１の内側面２１ｃ，２１ｃの境界線が、一対の当接片部１２ｄ，１２ｄの先端部間の中心に位置しない。従って、このような場合にも、一対の挟持片部１１,１１が設計通りの所定の挟持力で桟木２１，２１の両側を挟持していない恐れがあるが、作業者は、一対の当接片部１２ｄ，１２ｄの先端部間の中心と、桟木２１，２１の内側面２１ｃ，２１ｃの境界線との比較により、桟木２１，２１における挟持（装着）部分の不良を一目瞭然に確認することができる。ただし、本発明では、一対の当接片部１２ｄ，１２ｄの先端部間の中心が、一対の挟持片部１１,１１の内側面１１ａ，１１ａ間の中心線上にほぼ位置するように設けることは、任意である。
【符号の説明】
【００２３】
１…型枠連結金物、１１…挟持片部、１２…ベース部、１２ａ…打撃面部、１２ｂ…第１開口部、１２ｃ…第２開口部、１２ｄ…当接片部、１３…挟持空間、２…型枠、２１…桟木、２２…コンクリートパネル、３…ハンマー。
【図１】
0005881527.tif 000002
【図２】
0005881527.tif 000003
【図３】
0005881527.tif 000004
【図４】
0005881527.tif 000005
【図５】
0005881527.tif 000006
【図６】
0005881527.tif 000007
【図７】
0005881527.tif 000008
【図８】
0005881527.tif 000009